(57)【要約】【課題】外出先での使用を目的とした携帯用パンチの収納に適した大きさと形状および操作性に優れた機能を具備したアクセサリーとしての付加価値を高めるための装飾に適した形状の携帯型装飾パンチの提供。【解決手段】穴あけ用の刃をハンドル部下面に固定して穴あけ用刃の直上のハンドル部を押し下げて穿孔するてこの原理を利用しない穿孔方法を採用し穿孔操作部の構造の小型化を可能とし、ハンドル部のパンチのベース部に平行的な配置とハンドル部を平板状の突起物のない形状の採用を可能とし、収納性の改善とハンドル部上面への装飾の面的な制限の問題を解消し、ハンドル部をバネ駆動により元の位置に自動的に復帰しペーパ挿入口を常時開いた状態とする機能とベース部を中空構造として穿孔操作時に発生するペーパのダスト受け機能を装備して穿孔操作性の改善を行う。【選択図】図１
2010280017.tif 000002
【特許請求の範囲】
【請求項１】
穴あけ用の刃をパンチのハンドル部の下面に固定・装着して穴あけ用刃の直上のハンドル部を押し下げて穿孔するてこの原理を利用しない穿孔方法を用いて穿孔操作部を小型化し、装置全体の奥行きと高さを小さくして装置の収納性を改善し、パンチのハンドル部の上面の形状が突起物のない平板状の形状でパンチのベース部に略平行的に配置した装置形状として収納性の改善と装置上面への装飾の面的な制限の改善をし、パンチのハンドル部とベース部との固定部にバネ駆動装置を装備し、穿孔終了後にハンドル部がバネ駆動によりパンチのベース部に略平行的な元の位置に自動的に復帰し、ペーパー挿入口が穿孔操作時以外は常時開いた状態とし、パンチのベース部を中空構造とし、穿孔時に穿孔したペーパーダストの収納・保持が可能なベース部よりなることを特徴とするペーパー用の携帯型の装飾パンチ。
【発明の詳細な説明】
【技術分野】
【０００１】
本発明は、小型の携帯用のペーパー用穴あけパンチに係り、持ち運びの容易さと操作性と装置表面への装飾（デコレーション）の容易さの改善を図ったパンチに関するものである。
【背景技術】
【０００２】
ペーパー用穴あけパンチの中で、片手で穿孔操作できる小型のパンチは、一般的には、穴あけ用の刃を押し下げ操作するハンドルを長くし、てこの原理を利用して操作する力を軽減する構造が採用され、実用化されている最も小型のパンチでも１０枚程度のＰＰＣ用紙の穿孔能力がある。
【０００３】
しかし、実用化されている小型のパンチの一般的な形状は、穿孔能力は高いがハンドル部が大きく斜め上方に延び、最も小型のパンチでも携帯用の文具入れなどへの収納に適しないという欠点があり、持ち運びに不便という問題があった。
【０００４】
また、ハンドル部の軽量化とペーパー穿孔位置の視認のためにハンドル部は中央をくり抜いたコノ字型の形状が一般的であり、装置上面のハンドル部への装飾が面的に制限されるなどの装置上面への装飾に適した形状ではない問題があった。
【０００５】
この改善策として、パンチを使用しないときにはハンドル部をパンチのベース部に水平的に固定しパンチの高さを小さくするハンドルロック機能を付けたパンチが実用化されているが、穿孔操作の原理は従来と同様にてこの原理を利用したものであり、パンチの基本的な構造と形状は改善されず携帯用の文具入れなどに収納するには装置の高さ・奥行きなどがまだ大きすぎ、ハンドル部への装飾の面的な制限も改善されていない。
【０００６】
また、装置を小型化し携帯に適した大きさと形状のパンチの発明・考案がなされているが、ペーパーに穿孔する時に穿孔操作ができるように装置をセットする前準備が必要（特許文献１）、装置を簡略化し過ぎて穿孔したダスト受けが装備されていない（特許文献２）など外出先などでの使用を目的とした携帯用のパンチとしては操作性に問題があった。
【０００７】
特に、携帯用のパンチは、装置の持ち運びやすい大きさ・形状と装置の操作性だけでなく、アクセサリーとしてのファッション性も装置に必要な要件の一つになるものと考えらるが、装置の製作者あるいは使用者が装置の表面に装飾する場合の便利さを目的とした装置形状についての改善はこれまでの発明・考案など従来の技術にはみあたらない。
【先行技術文献】
【特許文献】
【０００８】
【特許文献１】特開平５−２００６９９号公報
【特許文献２】実開平６−５７６９４号公報
【発明の概要】
【発明が解決しようとする課題】
【０００９】
解決しようとする問題点は、外出先などでの使用を目的とした携帯用のパンチとして必要な要件である収納に適した大きさおよび形状と操作性に優れた機能を具備したパンチを開発することであり、さらに携帯用パンチのアクセサリー的な付加価値を高めるために装飾の容易な形状とすることである。
【課題を解決するための手段】
【００１０】
本発明は、穿孔能力はＰＰＣ用紙で数枚程度に低下するが、穿孔時の穴あけ用の刃の稼働幅を数ｍｍ程度とし、穴あけ用の刃をハンドル部下面に固定して穴あけ用刃の直上のハンドル部を押し下げて穿孔するてこの原理を利用しない穿孔方法を採用すれば穿孔操作部の構造の小型化が可能であり、装置の高さと奥行きを小さくし、携帯用文具入れなどへの収納に適した大きさのパンチの実現を可能とするものである。
【００１１】
本発明のパンチは、穴あけ用の刃の直上のハンドル部を押し下げる穿孔方法のためハンドル部はパンチのベース部に平行的な形状とすることができ、さらにハンドル部の中央をくり抜いたコノ字型ではなく平板状の突起物のない形状を採用することができ装置の形状の面においても収納性が改善され、かつハンドル部上面への装飾の面的な制限の問題を解消でき多様な装飾が容易となる。
【００１２】
本発明のパンチは、穿孔操作時に押し下げられたハンドル部をバネ駆動により元の位置に自動的に復帰する機能を装備し、穿孔するペーパーの挿入口は常時開いた状態として穿孔操作を容易とする。
【００１３】
また、本発明のパンチは、外出先での穿孔操作時に発生するペーパーの穿孔ダストの飛散防止にベース部は中空構造としてダスト受け機能を持たせる。
【発明の効果】
【００１４】
本発明は、装置の高さと奥行きを小さくし、ハンドル部は突起物のない平板的な形状としベース部に略平行的に配置し、装置全体の外形が薄い箱型で携帯型の筆記具入れなどへの収納に適した形状とすることが可能であり、また、穿孔操作もペーパーの穿孔位置を決め、パンチのペーパー挿入口に挿入し、ハンドル部を押して穿孔するという３つの操作でペーパーへの穿孔操作が完了し操作性も単純で優れており、穿孔ダストも装置内部に収納され飛散の心配もなく、外出先で使用する携帯用パンチに必要な要件である収納性と操作性を備えたパンチの実現が可能となる。
【００１５】
また、本発明は、装置の製作者あるいは使用者が多様な装飾が可能な広い平板状の面をもちファッション性を向上させることが容易であり、携帯用パンチにアクセサリーとしての付加価値を向上させることが可能である。
【図面の簡単な説明】
【００１６】
【図１】図１は本発明の一実施形態を示す側面図である。（実施例１）
【図２】図２は本発明の一実施形態を示す平面図である。（実施例１）
【図３】図３は本発明の一実施形態を示す正面図である。（実施例１）
【図４】図４は本発明の一実施形態を示す斜視図である。（実施例１）
【図５】図５は本発明の一実施形態の装置表面への装飾使用例を示す説明図である。（実施例１）
【発明を実施するための形態】
【００１７】
装置の収納性と装置表面への装飾性の改善を実現するために、ＰＰＣ用紙で数枚程度の穿孔能力を損なわずに装置の奥行きと高さを極力小さくし、ハンドル部は突起物のない平板状の形状とし、操作性を良くするためにハンドル部はバネ駆動とし、ベース部は中空構造とし穿孔ダストを収納・保持できる構造とした。
【実施例１】
【００１８】
図１、図２および図３は、本発明装置の１実施例の各々、側面図、平面図および正面図であって、１〜７は各図とも同様である。図１の８は穿孔時に押し下げられたハンドル部を押し上げるバネであり、図１の９は穿孔時に押し下げられた穴あけ用刃の位置を表す。図２はパンチのハンドル部の一部を切断した砕波断面図としパンチのベース部の構造を表す。図３のハッチング部は穴あけ用刃のハンドル部への取り付け断面を表す。図４は、本発明装置全体の外観を示す斜視図であって、１〜２は図１、図２および図３と同様である。図５は、装置上面のハンドル部表面への１装飾例を表す。図５の１は図１〜図４の各図と同様である。図２〜図４の１０は穿孔位置視認用のスリットである。図５では１０は省略した。
【００１９】
穴あけ用刃６はハンドル部１の下面にはめ込み、穴あけ用刃の固定具７でハンドル部に固定する。ハンドル部１はベース上のハンドル固定・回転部３でベース部２に取り付ける。穿孔時にはハンドル部１を手動で押し下げ、穿孔終了後にはハンドル固定・回転部３に取り付けたバネ８によりハンドル部１は上方に押し上げられ、ハンドルストッパー４によりハンドル部１はベース部２に平行な穿孔操作前の元の位置で止まる。本発明の主体は穴あけ用刃６とハンドル部１の穿孔操作系の実装方法にあるので、ハンドル部の固定・回転機構系の詳細な説明は省略する。ハンドル固定・回転部３とハンドルストッパー４の位置・形状は、装置全体の大きさ・形状に影響を及ぼさなければ実施例１に限らない。
【００２０】
このような穿孔操作系の実装形態を採用したので、穿孔能力は従来のてこの原理を利用したパンチより穿孔能力は低下するが、ハンドル部１の小型化・軽量化が可能となる。従って、装置全体の高さ・奥行を小さくでき、装置全体の形状も突起のない平板的な形状とすることができ利用者の携帯用文具入れなどへの収納にも適した、また多様な装飾が可能な持ち運びに便利な携帯向けの薄型の装飾パンチの実現が可能となる。
【００２１】
ハンドル部は穿孔終了後にはハンドル固定・回転部３に取り付けたバネ８によりハンドル部１は元の位置に押し上げられ、ハンドルストッパー４によりハンドル部１はベース部２に平行な位置で止まり、ペーパー挿入口は常時開いた状態にあり穿孔操作時のペーパー挿入と穿孔操作が容易である。
【００２２】
また、穿孔位置視認スリットとベース部の穿孔ダスト受けを装備し穿孔操作を容易にする。穿孔位置視認スリットは、実施例1の形状・大きさに限らず、スリット部を透明板に変更する方法もあり、装置上面への装飾に不具合が生じる場合は穿孔位置視認スリットは省略し装置前面の適切な位置に目印を付け穿孔位置を誘導する方法への変更も可能である。
【産業上の利用可能性】
【００２３】
本発明による奥行きと高さが小さく小型で薄型で、多様な装飾が可能な広い平板状の面をもつパンチは、持ち運びのしやすさだけでなくファッション性を向上させることも容易であり、携帯用パンチのアクセサリーとしての付加価値を向上させる携帯用装飾パンチとしての用途に適している。
【符号の説明】
【００２４】
１    パンチハンドル部
２    パンチベース部（内部はダスト受けを兼ねる）
３    ハンドル固定・回転部
４    ハンドルストッパー
５    ベース部の穴あけ用刃の受け穴部
６    穴あけ用刃
７    穴あけ用刃の固定具
８    ハンドル部駆動用バネ
９    穿孔時に押し下げられた穴あけ用刃
１０  穿孔位置視認スリット
【図１】
2010280017.tif 000003
【図２】
2010280017.tif 000004
【図３】
2010280017.tif 000005
【図４】
2010280017.tif 000006
【図５】
2010280017.tif 000007